(57)【要約】【課題】入浴中、入浴者に異常が発生した場合、確実に報知を行い、入浴中の事故を防止する。【解決手段】制御装置２８は、体動判定手段３４が入浴中に人が動かないと判定し続けた時間をカウントし、人が動いたらカウントをリセットして再びカウントを開始する第二のタイマー手段４０とを備え、所定時間経過後、制御装置２８は、第一のタイマー手段３９でカウントした時間が所定の長湯インターバル時間を超える毎に浴室内リモコン２９の報知開始手段４１で体動を促す旨の報知をし、長湯インターバル時間の間に第二のタイマー手段４０のカウントが所定の異常判定カウントを超えていた場合は、異常判定待機状態と判断し、その後の体動を促す報知から所定の異常予備時間の間に体動判定手段３４で人の動きが判定されなかったら、報知開始手段４１は異常お知らせの旨を浴室外リモコン３７に報知させるようにした。【選択図】図５
2020112850.tif 000002
【特許請求の範囲】
【請求項１】
浴槽内における圧力変化から水位を検出する水位センサと、浴室内における人の動きを検出する人感センサと、浴室内の情報を報知することができる浴室外に設けられた浴室外リモコンと、浴室内に設けられた浴室内リモコンと、前記各リモコンと通信可能に接続された制御装置とを備え、
前記制御装置には、前記水位センサの検出した圧力変化に基づいて、人が入浴したか否かを判定する入浴判定手段と、前記人感センサの検出結果に基づいて、入浴中に人が動いているか否かを判定する体動判定手段とを設け、
前記入浴判定手段で人が入浴したと判定してから出浴したと判定するまでカウントする第一のタイマー手段と、前記第一のタイマー手段でカウントした時間が所定時間を超えると、前記浴室内リモコンから前記所定時間を超えた旨を報知させる報知開始手段とを設けた風呂給湯装置において、
前記制御装置は、前記体動判定手段が入浴中に人が動かないと判定し続けた時間をカウントし、人が動いたらカウントをリセットして再びカウントを開始する第二のタイマー手段とを備え、
前記所定時間経過後、前記制御装置は、前記第一のタイマー手段でカウントした時間が所定の長湯インターバル時間を超える毎に前記浴室内リモコンの前記報知開始手段で体動を促す旨の報知をし、
前記長湯インターバル時間の間に前記第二のタイマー手段のカウントが所定の異常判定カウントを超えていた場合は、異常判定待機状態と判断し、その後の前記体動を促す報知から所定の異常予備時間の間に前記体動判定手段で人の動きが判定されなかったら、前記報知開始手段は異常お知らせの旨を前記浴室外リモコンに報知させるようにしたことを特徴とした風呂給湯装置。
【請求項２】
前記異常予備時間の間及び前記異常お知らせ中に前記体動判定手段で体動があったと判定した場合は、前記異常お知らせの報知を停止し、前記第二のタイマー手段のカウントをリセットして再びカウントを開始するようにしたことを特徴とする請求項１記載の風呂給湯装置。
【請求項３】
前記制御装置は、前記異常判定待機状態と判断すると、前記人感センサの感度を上げ、前記異常判定待機状態と判断してから前記体動判定手段で体動があったと判定されると、前記人感センサの感度を元に戻すようにしたことを特徴とする請求項１または２記載の風呂給湯装置。
【発明の詳細な説明】
【技術分野】
【０００１】
本発明は、浴槽内の水位変化から水位を検出する水位センサを備え、水位センサの水位変化から浴槽内の人の入出浴を判定する風呂給湯装置に関するものである。
【背景技術】
【０００２】
従来より、浴槽内での人の動静を検知する浴槽内動静検知センサ（ここでは水位センサ）と、浴槽内動静検知センサで人の静止状態が検知されている間カウントするタイマーとを備えた浴槽内異常検知システムにおいて、人が入浴したまま、静止状態にあることを水位センサで検知している時間を前記タイマーでカウントし、前記時間のカウントが所定時間を超えたときに浴槽内異常の発生可能性を報知する報知手段を備えたものが知られていた（特許文献１参照）。
【先行技術文献】
【特許文献】
【０００３】
【特許文献１】特開２００２−２３６９８４号公報
【発明の概要】
【発明が解決しようとする課題】
【０００４】
しかし、水位センサだけでは、入浴している人が意識障害等で動けない異常状態なのか、読書やリラックスしている等で動かない正常状態なのかを判定することができず、前記異常状態の場合のみ、異常お知らせを行うことが課題であった。
【課題を解決するための手段】
【０００５】
本発明は上記課題を解決するため、浴槽内における圧力変化から水位を検出する水位センサと、浴室内における人の動きを検出する人感センサと、浴室内の情報を報知することができる浴室外に設けられた浴室外リモコンと、浴室内に設けられた浴室内リモコンと、前記各リモコンと通信可能に接続された制御装置とを備え、前記制御装置には、前記水位センサの検出した圧力変化に基づいて、人が入浴したか否かを判定する入浴判定手段と、前記人感センサの検出結果に基づいて、入浴中に人が動いているか否かを判定する体動判定手段とを設け、前記入浴判定手段で人が入浴したと判定してから出浴したと判定するまでカウントする第一のタイマー手段と、前記第一のタイマー手段でカウントした時間が所定時間を超えると、前記浴室内リモコンから前記所定時間を超えた旨を報知させる報知開始手段とを設けた風呂給湯装置において、前記制御装置は、前記体動判定手段が入浴中に人が動かないと判定し続けた時間をカウントし、人が動いたらカウントをリセットして再びカウントを開始する第二のタイマー手段とを備え、前記所定時間経過後、前記制御装置は、前記第一のタイマー手段でカウントした時間が所定の長湯インターバル時間を超える毎に前記浴室内リモコンの前記報知開始手段で体動を促す旨の報知をし、前記長湯インターバル時間の間に前記第二のタイマー手段のカウントが所定の異常判定カウントを超えていた場合は、異常判定待機状態と判断し、その後の前記体動を促す報知から所定の異常予備時間の間に前記体動判定手段で人の動きが判定されなかったら、前記報知開始手段は異常お知らせの旨を前記浴室外リモコンに報知させるようにした。
【０００６】
また、前記異常予備時間の間及び前記異常お知らせ中に前記体動判定手段で体動があったと判定した場合は、前記異常お知らせの報知を停止し、前記第二のタイマー手段のカウントをリセットして再びカウントを開始するようにした。
【０００７】
また、前記制御装置は、前記異常判定待機状態と判断すると、前記人感センサの感度を上げ、前記異常判定待機状態と判断してから前記体動判定手段で体動があったと判定されると、前記人感センサの感度を元に戻すようにした。
【発明の効果】
【０００８】
本発明によれば、第一のタイマー手段で入浴判定後から出浴判定後までの時間をカウントし、第二のタイマーで前記体動判定手段が入浴中に人が動かないと判定し続けた時間をカウントし、第二のタイマー手段のカウントが異常判定待機状態と判定し、その後の前記体動を促す報知から所定の異常予備時間の間に前記体動判定手段で人の動きが判定されなかった場合に異常お知らせを報知するので、長時間体動が無い場合でも、体動を促す報知を受けて動くことのできる正常状態なのか、長時間体動が無い場合で、体動を促す報知を受けて動くことができない異常状態なのかを確実に判定できると共に、異常状態のとき異常お知らせを浴室外のリモコンに報知をすることにより、早急に外部の人に連絡を行うことで対応を促すことができる。
【図面の簡単な説明】
【０００９】
【図１】本発明の第１実施形態の概略説明図
【図２】本発明の所定時間までの入出浴判定を表すフローチャート
【図３】本発明の異常判定への遷移を表すフローチャート
【図４】本発明の異常判定なしの一例を表すタイムチャート
【図５】本発明の異常判定ありの一例を表すタイムチャート
【発明を実施するための形態】
【００１０】
次に、本発明の第１実施形態を図面に基づいて説明する。
１は温水を貯湯する貯湯タンク、２は温水を加熱する加熱手段としてのヒートポンプユニット、３は浴槽である。
【００１１】
４は貯湯タンク１とヒートポンプユニット２を循環可能に接続する加熱循環回路で、加熱循環ポンプ５を有し貯湯タンク１の下部に接続されたヒーポン往き管及び貯湯タンク１上部に接続されたヒーポン戻り管より構成され、貯湯タンク１下部の冷水を、ヒーポン往き管を介してヒートポンプユニット２で加熱し、加熱された高温の温水をヒーポン戻り管で貯湯タンク１上部に戻して貯湯タンク１内に温水を加熱貯湯するものである。なお、貯湯タンク１の外周面には貯湯温度センサ６を有しており、この貯湯温度センサ６が所定温度以上を検出することで貯湯量を検知するものである。
【００１２】
７は貯湯タンク１に水を供給する給水管、８は貯湯タンク１内の温水を出湯する出湯管、９は給水管７から分岐し、貯湯タンク１を迂回する給水バイパス管、１０は給水バイパス管９からの冷水と出湯管８からの温水を設定温度になるように混合する給湯混合弁、１１は混合された設定温度の温水を給湯する給湯管、１２は給湯管１１の端部に設けられる給湯栓である。１３は給湯混合弁１０の下流に設けた給湯温度センサ、１４は給湯量をカウントする給湯流量センサである。なお、１５は水道圧を所定の圧力に減圧する減圧弁、１６は加熱されることによる過圧を逃がす圧力逃し弁である。
【００１３】
１７は風呂循環回路で、貯湯タンク１内の湯水と循環する風呂の湯水とを熱交換させる風呂熱交換器１８と浴槽３とを、浴槽３から風呂熱交換器１８に向かう風呂往き管１７ａ及び風呂熱交換器１８から浴槽３に向かう風呂戻り管１７ｂとで循環可能に接続するものである。そして、１９は浴槽３と風呂循環回路１７を接続する循環口である。
【００１４】
２０は風呂循環回路１７に設けられた風呂循環ポンプ、２１は流水の有無を検出する流水センサ、２２は風呂循環回路１６を流れる風呂の温度を検出する風呂温度センサ、２３は湯水の水圧から浴槽３内の水位を検出する水位センサであり、風呂循環回路１７途中の風呂循環ポンプ２０よりも上流側に設けられている。この水位センサ２３は、湯水の水圧から浴槽３内の水位を検出しているので、循環口１９が露出してしまうと水位検出が行えないため、水位を検出するためには循環口１９よりも水位が上である必要がある。
【００１５】
２４は給湯管１１途中から分岐されて風呂循環回路１７に接続され浴槽３への湯張りを行うための湯張り管、２５はこの湯張り管２４に設けられ浴槽３への湯張りの開始、停止を行う湯張り弁、２６は浴槽３への湯張り量をカウントする風呂流量センサである。
【００１６】
２７はヒートポンプユニット２の加熱制御を行う加熱制御部、２８は給湯および風呂の制御を行う制御装置で、貯湯温度センサ６、給湯温度センサ１３、給湯流量センサ１４、流水センサ２１、風呂温度センサ２２、水位センサ２３、風呂流量センサ２６、の検出値が入力され、加熱循環ポンプ５、給湯混合弁１０、風呂循環ポンプ２０、湯張り弁２６を駆動するものである。
【００１７】
２９は制御装置２８と通信可能で、浴室内に設けられた浴室内リモコンであり、操作部３０と、設定内容を表示する表示部３１と、スピーカー等の音を発生させる音発生部３２と、浴室内における人の体動の有無を検出すると共に、浴室への入室と浴室からの退室を検出する人感センサ３３とが設けられている。
【００１８】
人感センサ３３は、検出エリア内の熱源の温度変化量を検出する焦電センサであり、浴室に人がいて、動きがあることを検出する。具体的には、人感センサ３３は、人が移動したときや手足などを動かすことによる検出エリアの温度変化を検出することにより、浴室内に人がおり、人の体動の有無を検出すると共に、浴室への入室と浴室からの退室を検出するものであり、人感センサ３３の検出結果に基づいて、制御装置２８に設けられた体動判定手段３４で浴室内の人が動いているか否かの判定を行い、更に入室判定手段３５で浴室内への入室と浴室外への退室との判定を行う。
【００１９】
また、人感センサ３３の検出エリアを詳しく説明すると、入浴中の人も洗い場でシャワーを浴びている人も等しく検出できるものが望ましく、少なくとも人の入退出及び人が浴槽に浸かっていても入浴者の体動が検出できるような範囲を検出できる人感センサ３３である。
【００２０】
また、この焦電センサからなる人感センサ３３は、複数の増幅回路を有しており、この複数の増幅回路は制御装置２８が制御している。この複数の増幅回路を必要に応じて切り替えることで、人感センサ３３の検出値を増幅させ、人感センサ３３の感度を変更している。さらに、人感センサ３３の感度は、人の動作の有無を検出する温度変化量の閾値を下げることにより上げても良い。
【００２１】
また、制御装置２８には、浴槽３に人が入浴したのか、または、浴槽３から人が出浴したのかを判定する入浴判定手段３６が設けられている。具体的には、入浴判定手段３６は、風呂循環ポンプ２０が停止している時に、人が浴槽３内に入浴または浴槽３外に出たときの出浴で生じる圧力変化を水位センサ２２で検出し、検出結果に基づいて、人の入浴または出浴を判定している。
【００２２】
そして、３７は制御装置２８と通信可能で、浴室外に設けられた浴室外リモコンであり、浴室内リモコン２９と同様に操作部３０、表示部３１、音発生部３２を有していて、浴室内の情報を浴室外に報知することができる。
【００２３】
さらに、制御装置２８には、自動保温運転時の動作を制御する保温運転制御手段３８と、入浴判定手段３６で入浴したと判定してから出浴したと判定するまでの時間をカウントする湯上がりタイマーである第一のタイマー手段３９と、体動判定手段３４で人の動きが判定されていない時間をカウントする不体動時間継続タイマーである第二のタイマー手段４０と、浴室内で入浴者に異常が発生した時に浴室内リモコン２９及び浴室外リモコン３７に備えた表示部３１および音発生手段３２を用いて、浴室内で入浴者に異常が発生した旨や入浴者に体動を促す旨の報知を開始させる報知開始手段４１が備えられている。
【００２４】
次に、沸き上げ運転について説明する。
沸き上げ要求があると、制御装置２８は、貯湯タンク１とヒートポンプユニット２を繋ぐ配管の途中にある加熱循環ポンプ５を駆動して、貯湯タンク１内下部から水をくみ上げ、ヒートポンプユニット２で温めて貯湯タンク１上部に戻す動作を続ける事により徐々に貯湯タンク１内の水が高温水へと沸き上げる。
【００２５】
次に、給湯動作ついて説明する。
給湯栓１２が開かれると給水管７から給水され、貯湯タンク１下部に流入すると共に給水バイパス管９を通り、貯湯タンク１上部から押し出された高温水と給水バイパス管９の給水が給湯ミキシング弁１０で混ぜ合わされ、給湯設定温度と給湯サーミスタ１３で検出された温度が同じなるように調整された湯水が給湯栓１２から給湯される。
【００２６】
また、湯張り動作について説明する。
浴室内リモコン２９および浴室外リモコン３７の湯張りスイッチが押されると制御装置２８は湯張り弁２５を開弁し、給水管７から給水を供給し、貯湯タンク１下部に流入すると共に給水バイパス管９を通り、貯湯タンク１上部から押し出された高温水と給水バイパス管９の給水が給湯混合弁１０で混ぜ合わされ、風呂設定温度と風呂温度センサ２２で検出された温度が同じになるように調整された湯水が浴槽３に流入されることで湯張りが開始される。そして、風呂流量センサ２６で流れた流量を検出して、流れた流量の合計積算値が湯張り設定量分流れたら制御装置２８が湯張り弁２５を閉状態にすることで湯張りを完了する。また、風呂循環回路１７には往き管と戻り管の２本の経路があるが、２本の配管から同時に給湯して湯張り運転を行う高速湯張り運転を行うこともできる。
【００２７】
そして、保温運転制御手段３８は、湯張り運転完了後から浴室内リモコン２９および浴室外リモコン３７で予め設定された浴槽の湯を一定温度に沸き上げる自動保温運転の設定時間（ここでは約３時間）の間、繰り返し行う。
【００２８】
また、この湯張り運転が完了したあとの自動保温運転が開始されることで、体動判定手段３４と入室判定手段３５と入浴判定手段３６と保温運転制御手段３８と第一のタイマー手段３９と報知開始手段４１との動作による本実施例の動作が開始するものであり、浴室内リモコン２９または浴室外リモコン３７の電源を切ること、または、所定期間の自動保温運転が終了することで、体動判定手段３４と入室判定手段３５と入浴判定手段３６と保温運転制御手段３８と第一のタイマー手段３９と報知開始手段４１の動作による本実施例の動作が停止するようにしている。
【００２９】
また、ユーザーが任意で自動保温運転の実行または本実施例の第一のタイマー手段３９及び第二のタイマー手段４０と報知開始手段４１を用いた見まもり動作の実行を選択するスイッチを設け、開始もしくは解除するようにしてもよい。
【００３０】
次に第一のタイマー手段３９を用いた入浴判定から所定時間までの入浴、及び入浴の継続までを図２のフローチャートに基づいて説明する。
まず、水位センサ２３の圧力変化の検出値に基づいて浴槽への入浴の有無を確認し、水位センサ２３で浴槽の水位が所定水位上昇したと検出したら（Ｓ１がＹｅｓ）、入浴判定手段３６は浴槽に人が入浴したとし、入浴状態と判定し（Ｓ２）、制御装置２８は第一のタイマー手段３９は第一のタイマーのカウントをスタートする（Ｓ３）。
【００３１】
そして、第一のタイマー手段３９のカウント途中に、入浴判定手段３６は水位変化に基づいて出浴したかを確認し（Ｓ５）、水位センサ２３で浴槽の水位が所定水位下降したと検出し、入浴判定手段３６が出浴と判定したら（Ｓ５がＮｏ）、出浴確定してタイマーカウントを終了する（Ｓ６）。
【００３２】
また、第一のタイマー手段３９のカウント途中に出浴の判定がなく（Ｓ５がＮｏ）、第一のタイマー手段３９のカウントが所定時間に達したら（Ｓ６がＹｅｓ）、報知開始手段４１は浴室内リモコン２９から「所定時間に達しました。出浴してください。」という出浴を促す旨の報知をする（Ｓ７）。
【００３３】
そして、浴室内リモコン２９の報知を受けて、水位センサ２３で浴槽の水位が所定水位下降したと検出し、入浴判定手段３６が出浴と判定したら（Ｓ８がＮｏ）、出浴確定してタイマーカウントを終了する（Ｓ９）。
【００３４】
また、水位センサ２３で浴槽の水位が所定水位下降したと検出せず入浴判定手段３６は出浴判定しないと（Ｓ８がＹｅｓ）、所定時間以上入浴し続けているので、長湯と判定し、浴室内リモコン２９で長湯状態であることを表示する（Ｓ１０）。ここでは、長湯状態の表示は音による報知は行わない。
【００３５】
このように、第一のタイマー手段３９のカウントが所定時間に達したら、浴室内リモコン２９で報知することで、予め定めた入浴時間で入浴を行うことができ、浴室にいて時計等で時間を測れない環境でも適切な入浴を行う事ができる。
【００３６】
次に第一のタイマー手段３９のカウントで所定時間に達したことを報知したあとに、入浴が継続された場合、入浴者に異常が発生した可能性があることを判定したら、浴室外リモコン３７から報知する方法を図３のフローチャートに基づいて説明する。
【００３７】
まず、長湯判定後（Ｓ１０）、制御装置２８は、第一のタイマー手段３９のカウントは  継続させると共に、体動判定手段３４で体動を判定できなかった時間をカウントする不体動時間継続タイマーとした第二のタイマー手段４０で第二のタイマーのカウントを開始する（Ｓ１１）。
【００３８】
この第一のタイマー手段３９と第二のタイマー手段４０のカウント途中に水位センサ２３で浴槽の水位が所定水位下降されると（Ｓ１２がＹｅｓ）、入浴判定手段３６で出浴確定し、タイマーカウントを終了して、この入浴中の見まもり動作を終了する（Ｓ１３）。
【００３９】
また、第二のタイマー手段４０のカウント途中に、体動判定手段３４が入浴者の体動を検出すると（Ｓ１４がＮｏ）、第二のタイマー手段４０のカウントをリセットし、再び第二のタイマー手段４０のカウントを再開し（Ｓ１５）、第一のタイマー手段３９のタイマーカウントが長湯インターバル時間に到達したかを確認する（Ｓ１６）。
【００４０】
また、もし、第二のタイマー手段４０のカウント途中に、体動判定手段３４が入浴者の体動を検出しなくても（Ｓ１４がＹｅｓ）、第一のタイマー手段３９のタイマーカウントが長湯インターバル時間に到達したかを確認する（Ｓ１６）。
【００４１】
そして、第一のタイマー手段４０のカウントが長湯インターバル時間に到達したら（Ｓ１６がＹｅｓ）、報知開始手段４１は浴室内リモコン２９から入浴者に、「時間になりました。身体を動かしてください」のような体動を促す報知を行い（Ｓ１７）、浴室外リモコン３７の表示部３１から長湯表示を行う（Ｓ１８）。
【００４２】
このとき、第二のタイマー手段４０のカウントが所定の異常判定カウントに達していなかった場合（Ｓ１９がＮｏ）、Ｓ１２に戻り、見まもり動作を継続する。
【００４３】
また、第二のタイマー手段４０のカウントが所定の異常判定カウントに達していた場合（Ｓ１９がＹｅｓ）、異常判定待機状態と判断する（Ｓ２０）。
【００４４】
そして、異常判定待機状態となったとき（Ｓ２０）、人感センサ３３の感度を上げ（Ｓ２１）、体動判定検出手段３４で入浴者の体動を監視する（Ｓ２２）。
【００４５】
このとき、体動判定手段３４で入浴者の体動判定があった場合は（Ｓ２２がＮｏ）、人感センサ３３の感度を元に戻し（Ｓ２３）、第二のタイマー手段４０のカウントをリセットし、再び第二のタイマー手段４０のカウントを再開する（Ｓ１５）。
【００４６】
また、体動判定手段３４で入浴者の体動判定が無しの状態で（Ｓ２２がＹｅｓ）、報知開始手段４１の体動を促す報知から異常予備時間（ここでは２分）が経過すると（Ｓ２４がＹｅｓ）、報知開始手段４１は浴室内リモコン２９及び浴室外リモコン３７から音による報知を伴う異常お知らせを報知する（Ｓ２５）。
【００４７】
異常お知らせ報知後（Ｓ２５）、入浴者の体動を監視し（Ｓ２６）、体動判定手段３４で体動が判定されれば（Ｓ２６がＹｅｓ）、異常お知らせ報知を終了すると共に人感センサ３３の感度を元に戻し（Ｓ２３）、Ｓ１５に戻る。そのまま体動が判定されなければ（Ｓ２６がＮｏ）、異常お知らせ報知を継続させる。
【００４８】
このように、異常判定待機状態であって、前記長湯インターバル時間毎に行う体動を促す報知が行われても、入浴者が体動をしない場合は、入浴者に異常があると判断することができ、浴室外リモコン３７から異常お知らせを報知することで浴室外の人に早急な対応を促すことで安全性を向上させる事ができる。
【００４９】
また、異常判定待機状態となってもすぐに異常お知らせを行わず、体動を促す報知を行い、報知開始手段４１の体動を促す報知から異常予備時間を待ってから異常お知らせを行うことで、入浴者が正常な状態で体動をしなかった場合でも異常判定し、異常お知らせをしてしまう煩わしさを防ぐ事ができる。
【００５０】
また、浴室外リモコン３７では、所定時間よりも長く入浴していることを音による報知を伴わず表示することで、浴室外の人に煩わしさを感じさせることなく異常判定への遷移に備えることができるとともに、浴室内リモコン２９で長湯インターバル時間が経過する毎に体動を促す報知を行うことで、入浴者が動ける正常状態なのか、動けない異常状態なのかを見分けることができる。
【００５１】
次に図４のタイムチャートに基づいて、体動が間欠的に行われて第二のタイマー手段４０のカウントが異常判定カウントに達しなかった場合の説明をする。
入浴判定手段３６で入浴判定がされると、第一のタイマー手段３９のカウントが開始され、所定時間が経過すると、浴室内リモコン２９の音発生部３２で、所定時間に到達したので出浴を促す報知を行う。それからも入浴を続けた場合は、浴室内リモコン２９の表示部３１で長湯判定表示を行うとともに、第二のタイマー手段４０のカウントを開始する。
【００５２】
この第二のタイマー手段４０のカウントは、入浴者が体動をするとカウントをリセットして再カウントを行うもので、図４のように、入浴者の体動が体動判定手段３４で間欠的に検知されている場合は、異常なしと判断している。また、浴室外リモコン３７には、一度目の長湯インターバル時間を超えて入浴状態が続いていると、浴室外リモコン３７の表示部３１で長湯判定表示を行う。
【００５３】
次に図５のタイムチャートに基づいて、体動が行われず第二のタイマー手段４０のカウントが異常判定カウントに達した場合の説明をする。
入浴判定手段３６で入浴判定がされると、第一のタイマー手段３９のカウントが開始され、所定時間が経過すると、浴室内リモコン２９の音発生部３２で、所定時間に到達したので出浴を促す報知を行う。それからも入浴を続けた場合は、浴室内リモコン２９の表示部３１で長湯判定表示を行うとともに、第二のタイマー手段４０のカウントを開始する。
【００５４】
この第二のタイマー手段４０のカウントは、入浴者が体動をするとカウントをリセットして再カウントを行うもので、図５のように、入浴者の体動が無く、第二のタイマー手段４０のカウントが異常判定カウントに達し、長湯インターバル時間に到達すると、異常判定待機状態となる。それから入浴者の体動が無く、第一のタイマー手段３９のカウントが異常判定カウントに達した場合は、浴室内リモコン２９及び浴室外リモコン３７から異常お知らせを報知する。この異常お知らせの報知は、入浴者の体動が体動検出手段３４で検知されれば、報知を停止し、第二のタイマー手段４０のカウントをリセットする。
【００５５】
また、異常判定待機状態となると、人感センサ３３の感度を上げ、入浴者の動きを検知しやすくし、体動判定手段３４で体動を検知されると、人感センサ３３の感度を元に戻す。
【００５６】
なお、本発明は本実施例に限定されるものではなく、要旨を変更しない範囲で改変する事を妨げるものではなく、例えば、今回はヒートポンプ式貯湯給湯機を用いて説明したが、貯湯タンク１内にヒーターを設けたものやバーナなどの熱源で湯水を加熱する給湯機でもよいものである。
【００５７】
また、本発明では、第二のタイマー手段４０のカウントが異常判定カウントを超えても、長湯インターバル時間に到達し、体動を促す報知から異常予備時間が経過するまでは異常お知らせを行わないものであるが、異常判定カウントに到達した時に、体動を促す報知を行い、それから異常予備時間が経過したあとに異常お知らせを行うものでも良く、これにより長時間体動が無く、異常が起きてる可能性があるとき、異常お知らせを聞いた浴室外の人が早急に対応することができる。
【符号の説明】
【００５８】
１      貯湯タンク
３      浴槽
２８    制御装置
２９    浴室内リモコン
３３    人感センサ
３４    体動判定手段
３５    入室判定手段
３６    入浴判定手段
３８    保温運転制御手段
３９    第一のタイマー手段
４０    第二のタイマー手段
４１    報知開始手段
【図１】
2020112850.tif 000003
【図２】
2020112850.tif 000004
【図３】
2020112850.tif 000005
【図４】
2020112850.tif 000006
【図５】
2020112850.tif 000007